(57)【要約】【課題】簡易な構成で、ポンプ室への異物の流入量を低減することが可能なポンプ装置を提供する。【解決手段】ポンプ装置１は、羽根車２およびロータ４が配置されるポンプ室８と流入路１０ａとの間を隔てるための仕切り部材１１を備えている。仕切り部材１１は、ポンプ室８と流入路１０ａとの間を隔てる仕切り部１１ａと、ポンプ室８の内部に配置され固定軸１７の一端側を支持する軸支持部１１ｂと、仕切り部１１ａと軸支持部１１ｂとを繋ぐ連結部１１ｃとを備えており、仕切り部１１ａには、流入路１０ａとポンプ室８とを連通させる連通穴１１ｄが形成されている。連結部１１ｃは、連通穴１１ｄの周縁からＺ２方向側へ突出するとともに固定軸１７の周方向において所定の間隔をあけた状態で配置される複数の突起部によって構成されており、周方向における複数の突起部の間隔は、周方向における突起部の幅よりも狭くなっている。【選択図】図１
2018040316.tif 000002
【特許請求の範囲】
【請求項１】
羽根車と、前記羽根車が固定されるロータと、前記羽根車および前記ロータが配置されるポンプ室と、筒状に形成され前記ロータの外周側に配置されるとともに前記ポンプ室の外側に配置されるステータと、前記ポンプ室に流れ込む流体が通過する流入路と、前記ポンプ室と前記流入路との間を隔てるための仕切り部材とを備え、
前記仕切り部材は、前記ポンプ室と前記流入路との間を隔てる仕切り部と、前記ポンプ室の内部に配置され前記ロータの回転中心軸の一端側を支持する軸支持部と、前記仕切り部と前記軸支持部とを繋ぐ連結部とを備え、
前記仕切り部には、前記回転中心軸の軸方向に貫通するとともに前記流入路と前記ポンプ室とを連通させる連通穴が形成され、
前記連結部は、前記連通穴の周縁から前記軸方向の一方側へ突出するとともに前記回転中心軸の周方向において所定の間隔をあけた状態で配置される複数の突起部によって構成され、
前記周方向における複数の前記突起部の間隔は、前記周方向における前記突起部の幅よりも狭くなっていることを特徴とするポンプ装置。
【請求項２】
前記連結部は、複数の前記突起部として、前記軸支持部に繋がる複数の第１突起部と、前記軸支持部に繋がっておらず前記軸支持部との間に隙間が形成されている複数の第２突起部とを備えることを特徴とする請求項１記載のポンプ装置。
【請求項３】
２個の前記第１突起部と２個の前記第２突起部とが前記周方向において交互に配置されていることを特徴とする請求項２記載のポンプ装置。
【請求項４】
１個の前記第１突起部と１個の前記第２突起部とが前記周方向において交互に配置されていることを特徴とする請求項２記載のポンプ装置。
【請求項５】
前記回転中心軸の径方向における前記突起部の内側面は、前記軸支持部に向かうにしたがって前記径方向の内側へ向かうように傾斜するテーパ面となっていることを特徴とする請求項１から４のいずれかに記載のポンプ装置。
【請求項６】
羽根車と、前記羽根車が固定されるロータと、前記羽根車および前記ロータが配置されるポンプ室と、筒状に形成され前記ロータの外周側に配置されるとともに前記ポンプ室の外側に配置されるステータと、前記ポンプ室に流れ込む流体が通過する流入路と、前記ポンプ室と前記流入路との間を隔てるための仕切り部材とを備え、
前記仕切り部材は、前記ポンプ室と前記流入路との間を隔てる仕切り部と、前記ポンプ室の内部に配置され前記ロータの回転中心軸の一端側を支持する軸支持部と、前記仕切り部と前記軸支持部とを繋ぐ連結部とを備え、
前記仕切り部には、前記回転中心軸の軸方向に貫通するとともに前記流入路と前記ポンプ室とを連通させる連通穴が形成され、
前記連結部は、前記連通穴の周縁と前記軸支持部とを繋ぐ円錐台の筒状に形成され、
前記連結部の内周面は、前記軸支持部に向かうにしたがって内径が小さくなるテーパ面となっており、
前記連結部には、前記軸方向に貫通する複数の貫通穴が形成されていることを特徴とするポンプ装置。
【請求項７】
複数の前記貫通穴は、前記軸方向から見たときに円弧状に形成されていることを特徴とする請求項６記載のポンプ装置。
【請求項８】
前記連結部には、複数の前記貫通穴として、前記軸方向から見たときに、前記回転中心軸の軸心を中心とする第１の仮想円上に配列される複数の第１貫通穴と、前記第１の仮想円の同心円である第２の仮想円上に配列される複数の第２貫通穴とが形成されていることを特徴とする請求項７記載のポンプ装置。
【発明の詳細な説明】
【技術分野】
【０００１】
本発明は、羽根車が固定されるロータと、ロータの外周側に配置されるステータとを備えるポンプ装置に関する。
【背景技術】
【０００２】
従来、羽根車が配置されるポンプ室と、外部からポンプ室に液体を導入する導入路と、ポンプ室から外部に液体を導出する導出路とが形成されたポンプ装置が知られている（たとえば、特許文献１参照）。特許文献１に記載のポンプ装置は、ポンプ室を形成するポンプケースと、導入路および導出路が形成される流路ケースと、駆動部が収容される駆動部カバーとを備えている。駆動部カバーの内部空間とポンプケースの内部空間とは、分離板によって区画され、流路ケースの内部空間とポンプケースの内部空間とは、仕切り板によって区画されている。
【０００３】
特許文献１に記載のポンプ装置では、仕切り板に、導入路からポンプ室に液体を流入させる羽根車入口が形成されている。また、仕切り板には、羽根車の回転中心となる軸の一端部を支持する軸支持部が形成されている。軸支持部は、羽根車入口と同軸上に配置されており、羽根車入口の周縁から伸びる接続部を介して、羽根車入口の周縁に繋がっている。また、このポンプ装置では、毛髪等の異物のポンプ室への流入量を低減するための異物防止部が流路ケースの内部に形成されている。異物防止部は、導入路に配置されている。この異物防止部は、スリットを有する円筒、あるいは、複数のリブによって構成されている。
【先行技術文献】
【特許文献】
【０００４】
【特許文献１】特開２０１１−２２０２１７号公報
【発明の概要】
【発明が解決しようとする課題】
【０００５】
特許文献１に記載のポンプ装置では、異物防止部が導入路に配置されているため、毛髪等の異物のポンプ室への流入量を低減することが可能となっている。しかしながら、このポンプ装置では、スリットを有する円筒あるいは複数のリブからなる異物防止部が流路ケースの内部に形成されているため、流路ケースの構成が複雑になる。また、流路ケースの構成が複雑になるため、ポンプ装置の構成が複雑になり、ポンプ装置のコストが高くなる。
【０００６】
そこで、本発明の課題は、簡易な構成で、ポンプ室への異物の流入量を低減することが可能なポンプ装置を提供することにある。
【課題を解決するための手段】
【０００７】
上記の課題を解決するため、本発明のポンプ装置は、羽根車と、羽根車が固定されるロータと、羽根車およびロータが配置されるポンプ室と、筒状に形成されロータの外周側に配置されるとともにポンプ室の外側に配置されるステータと、ポンプ室に流れ込む流体が通過する流入路と、ポンプ室と流入路との間を隔てるための仕切り部材とを備え、仕切り部材は、ポンプ室と流入路との間を隔てる仕切り部と、ポンプ室の内部に配置されロータの回転中心軸の一端側を支持する軸支持部と、仕切り部と軸支持部とを繋ぐ連結部とを備え、仕切り部には、回転中心軸の軸方向に貫通するとともに流入路とポンプ室とを連通させる連通穴が形成され、連結部は、連通穴の周縁から軸方向の一方側へ突出するとともに回転中心軸の周方向において所定の間隔をあけた状態で配置される複数の突起部によって構成され、周方向における複数の突起部の間隔は、周方向における突起部の幅よりも狭くなっていることを特徴とする。
【０００８】
本発明のポンプ装置では、流入路とポンプ室とを連通させる連通穴が形成される仕切り部と、ロータの回転中心軸の一端側を支持する軸支持部とを繋ぐ連結部が、連通穴の周縁から回転中心軸の軸方向の一方側へ突出するとともに回転中心軸の周方向において所定の間隔をあけた状態で配置される複数の突起部によって構成されている。また、本発明では、周方向における複数の突起部の間隔は、周方向における突起部の幅よりも狭くなっている。そのため、本発明では、複数の突起部によって構成される連結部を利用して、流入路からポンプ室への異物の流入量を低減することが可能になる。すなわち、本発明では、仕切り部と軸支持部とを繋ぐ連結部を用いた簡易な構成で、ポンプ室への異物の流入量を低減することが可能になる。
【０００９】
また、本発明では、複数の突起部が、連通穴の周縁から軸方向の一方側へ突出しているため、複数の突起部からなる連結部を利用してポンプ室への異物の流入量を低減することが可能であっても、ポンプ室への流体の流れが阻害されにくくなる。したがって、本発明では、ポンプ室への異物の流入量を低減することが可能であっても、ポンプ装置の機能の低下を抑制することが可能になる。
【００１０】
本発明において、連結部は、複数の突起部として、軸支持部に繋がる複数の第１突起部と、軸支持部に繋がっておらず軸支持部との間に隙間が形成されている複数の第２突起部とを備えることが好ましい。このように構成すると、全ての突起部が軸支持部に繋がっている場合と比較して、ポンプ室への流体の流れがより阻害されにくくなる。したがって、ポンプ装置の機能の低下を効果的に抑制することが可能になる。
【００１１】
本発明において、たとえば、２個の第１突起部と２個の第２突起部とが周方向において交互に配置されている。また、本発明において、１個の第１突起部と１個の第２突起部とが周方向において交互に配置されていても良い。２個の第１突起部と２個の第２突起部とが周方向において交互に配置されている場合には、１個の第１突起部と１個の第２突起部とが周方向において交互に配置されている場合と比較して、ポンプ室への流体の流れがより阻害されにくくなる。一方、１個の第１突起部と１個の第２突起部とが周方向において交互に配置されている場合には、２個の第１突起部と２個の第２突起部とが周方向において交互に配置されている場合と比較して、細かい異物のポンプ室への流入量を低減することが可能になる。
【００１２】
本発明において、回転中心軸の径方向における突起部の内側面は、軸支持部に向かうにしたがって径方向の内側へ向かうように傾斜するテーパ面となっていることが好ましい。このように構成すると、ポンプ室への流体の流れがより阻害されにくくなる。したがって、ポンプ装置の機能の低下を効果的に抑制することが可能になる。
【００１３】
また、上記の課題を解決するため、本発明のポンプ装置は、羽根車と、羽根車が固定されるロータと、羽根車およびロータが配置されるポンプ室と、筒状に形成されロータの外周側に配置されるとともにポンプ室の外側に配置されるステータと、ポンプ室に流れ込む流体が通過する流入路と、ポンプ室と流入路との間を隔てるための仕切り部材とを備え、仕切り部材は、ポンプ室と流入路との間を隔てる仕切り部と、ポンプ室の内部に配置されロータの回転中心軸の一端側を支持する軸支持部と、仕切り部と軸支持部とを繋ぐ連結部とを備え、仕切り部には、回転中心軸の軸方向に貫通するとともに流入路とポンプ室とを連通させる連通穴が形成され、連結部は、連通穴の周縁と軸支持部とを繋ぐ円錐台の筒状に形成され、連結部の内周面は、軸支持部に向かうにしたがって内径が小さくなるテーパ面となっており、連結部には、軸方向に貫通する複数の貫通穴が形成されていることを特徴とする。
【００１４】
本発明のポンプ装置では、流入路とポンプ室とを連通させる連通穴が形成される仕切り部と、ロータの回転中心軸の一端側を支持する軸支持部とを繋ぐ連結部が、連通穴の周縁と軸支持部とを繋ぐ円錐台の筒状に形成されている。また、本発明では、軸方向に貫通する複数の貫通穴が連結部に形成されている。そのため、本発明では、複数の貫通穴が形成される連結部を利用して、流入路からポンプ室への異物の流入量を低減することが可能になる。すなわち、本発明では、仕切り部と軸支持部とを繋ぐ連結部を用いた簡易な構成で、ポンプ室への異物の流入量を低減することが可能になる。
【００１５】
また、本発明では、連結部の内周面が、軸支持部に向かうにしたがって内径が小さくなるテーパ面になっているとともに、軸方向に貫通する複数の貫通穴が連結部に形成されているため、連結部を利用してポンプ室への異物の流入量を低減することが可能であっても、ポンプ室への流体の流れが阻害されにくくなる。したがって、本発明では、ポンプ室への異物の流入量を低減することが可能であっても、ポンプ装置の機能の低下を抑制することが可能になる。
【００１６】
本発明において、複数の貫通穴は、軸方向から見たときに円弧状に形成されていることが好ましい。このように構成すると、軸方向から見たときの貫通穴の面積を大きくすることが可能になるため、ポンプ室への流体の流れがより阻害されにくくなる。したがって、ポンプ装置の機能の低下を効果的に抑制することが可能になる。
【００１７】
また、この場合には、連結部に、複数の貫通穴として、軸方向から見たときに、回転中心軸の軸心を中心とする第１の仮想円上に配列される複数の第１貫通穴と、第１の仮想円の同心円である第２の仮想円上に配列される複数の第２貫通穴とが形成されていることが好ましい。このように構成すると、ポンプ室への流体の流れがより一層阻害されにくくなるため、ポンプ装置の機能の低下をより効果的に抑制することが可能になる。
【発明の効果】
【００１８】
以上のように、本発明のポンプ装置では、簡易な構成で、ポンプ室への異物の流入量を低減することが可能になる。
【図面の簡単な説明】
【００１９】
【図１】本発明の実施の形態にかかるポンプ装置の断面図である。
【図２】図１に示す上ケースの斜視図である。
【図３】図１に示すポンプ装置から上ケースを取り外した状態の斜視図である。
【図４】図１に示す仕切り部材の斜視図である。
【図５】（Ａ）は、図４に示す軸支持部および連結部の底面図であり、（Ｂ）は、図４に示す軸支持部および連結部の平面図である。
【図６】図５（Ｂ）のＥ−Ｅ断面の断面図である。
【図７】本発明の他の実施の形態にかかる連結部の構成を説明するための斜視図である。
【図８】本発明の他の実施の形態にかかる連結部の構成を説明するための斜視図である。
【図９】図８に示す軸支持部および連結部の平面図である。
【図１０】図９のＦ−Ｆ断面の断面図である。
【発明を実施するための形態】
【００２０】
以下、図面を参照しながら、本発明の実施の形態を説明する。
【００２１】
（ポンプ装置の概略構成）
図１は、本発明の実施の形態にかかるポンプ装置１の断面図である。図２は、図１に示す上ケース１０の斜視図である。
【００２２】
本形態のポンプ装置１は、キャンドポンプ（キャンドモータポンプ）と呼ばれるタイプのポンプであり、羽根車２と、羽根車２を回転させるモータ３とを備えている。モータ３は、ロータ４とステータ５とを備えている。羽根車２、ロータ４およびステータ５は、ケース体６の内部に配置されている。以下の説明では、図１の上側（Ｚ１方向側）を「上」側とし、図１の下側（Ｚ２方向側）を「下」側とする。
【００２３】
ケース体６は、モータ３の一部を構成するハウジング７と、ポンプ室８の一部が内部に形成されるホルダ９と、ポンプ室８に流れ込む流体が通過する流入路１０ａとポンプ室８から流れ出す流体が通過する流出路１０ｂとが内部に形成される上ケース１０と、流入路１０ａおよび流出路１０ｂとポンプ室８との間を隔てるための仕切り部材１１とを備えている。ハウジング７は、ポンプ室８とステータ５とを隔てるようにポンプ室８とステータ５との間に配置される隔壁１２ａを有する隔壁部材１２と、隔壁部材１２の下面および側面を覆う樹脂製の樹脂封止部材１３とを備えている。
【００２４】
ロータ４は、駆動用磁石１４と、円筒状のスリーブ１５と、駆動用磁石１４およびスリーブ１５を保持する保持部材１６とを備えている。保持部材１６は、鍔付きの略円筒状に形成されている。駆動用磁石１４は、保持部材１６の外周側に固定され、スリーブ１５は、保持部材１６の内周側に固定されている。上側に配置される保持部材１６の鍔部１６ａには、羽根車２が固定されている。すなわち、羽根車２は、ロータ４に固定されている。羽根車２およびロータ４は、ポンプ室８の内部に配置されている。また、ロータ４は、固定軸１７に回転可能に支持されている。
【００２５】
固定軸１７は、固定軸１７の軸方向と上下方向とが一致するように配置されている。すなわち、上下方向は、固定軸１７の軸方向である。固定軸１７の上端側は、仕切り部材１１に支持されている。また、固定軸１７の下端側は、隔壁部材１２に支持されている。固定軸１７は、スリーブ１５の内周側に挿通されている。固定軸１７には、スリーブ１５の上端面に当接するスラスト軸受部材１８と、スリーブ１５の下端面に当接するスラスト軸受部材１９とが取り付けられている。本形態では、スリーブ１５がロータ４のラジアル軸受として機能し、スリーブ１５およびスラスト軸受部材１８、１９がロータ４のスラスト軸受として機能している。本形態の固定軸１７は、ロータ４の回転中心軸である。
【００２６】
ステータ５は、駆動用コイルとステータコアとインシュレータとを備えている。ステータコアは、環状に形成される外周環部と、外周環部から径方向の内側に向かって突出する複数の突極部とを備えており、複数の突極部のそれぞれに、インシュレータを介して駆動用コイルが巻回されている。駆動用コイルの端部は、インシュレータに固定される端子ピンに接続されている。端子ピンは、回路基板２０に半田付けされて固定されている。
【００２７】
ステータ５は、全体として筒状に形成されている。具体的には、ステータ５は、略円筒状に形成されている。このステータ５は、隔壁１２ａを介して、ロータ４の外周側に配置されている。また、ステータ５は、ステータ５の軸方向と上下方向とが一致するように配置されている。
【００２８】
上述のように、隔壁部材１２は、隔壁１２ａを備えている。隔壁１２ａは、鍔付きの略有底円筒状に形成されており、円筒部１２ｂと底部１２ｃと鍔部１２ｄとを備えている。円筒部１２ｂは、円筒状に形成されており、駆動用磁石１４の外周面を覆うように配置されている。底部１２ｃは、円筒部１２ｂの下端を塞ぐ円板状に形成されている。鍔部１２ｄは、円筒部１２ｂの上端から径方向の外側へ広がるように形成されている。
【００２９】
底部１２ｃの上面には、固定軸１７の下端側を支持する軸支持部１２ｆが上側へ突出するように形成されている。底部１２ｃの下面には、回路基板２０を隔壁部材１２に固定するための固定用突起１２ｇと、回路基板２０を位置決めするための位置決め用突起１２ｈとが下側へ突出するように形成されている。隔壁１２ａの内側および上側は、ポンプ室８となっている。上述のように、ステータ５は、隔壁１２ａを介して、ロータ４の外周側に配置されており、ポンプ室８の外側に配置されている。隔壁１２ａは、ステータ５および回路基板２０の配置箇所へのポンプ室８内の流体の流入を防止する機能を果たしている。
【００３０】
樹脂封止部材１３は、ステータ５および回路基板２０等を完全に覆って、ステータ５および回路基板２０等を流体から保護するために設けられている。この樹脂封止部材１３は、全体として略有底円筒状に形成されており、ステータ５、回路基板２０、円筒部１２ｂおよび底部１２ｃを完全に覆っている。また、樹脂封止部材１３は、鍔部１２ｄの下面を覆っている。
【００３１】
（上ケースおよび仕切り部材の構成）
図３は、図１に示すポンプ装置１から上ケース１０を取り外した状態の斜視図である。図４は、図１に示す仕切り部材１１の斜視図である。図５（Ａ）は、図４に示す軸支持部１１ｂおよび連結部１１ｃの底面図であり、図５（Ｂ）は、図４に示す軸支持部１１ｂおよび連結部１１ｃの平面図である。図６は、図５（Ｂ）のＥ−Ｅ断面の断面図である。
【００３２】
上ケース１０は、樹脂で形成されている。また、上ケース１０は、底面が開口する箱状に形成されている。上ケース１０の内部には、上述のように、流入路１０ａと流出路１０ｂとが形成されている。また、上ケース１０には、図２に示すように、流体を吸入する吸入部１０ｃと、流体を吐出する吐出部１０ｄとが形成されている。吸入部１０ｃと吐出部１０ｄとは、互いに隣接するように形成されている。
【００３３】
流入路１０ａの一端は、吸入部１０ｃに繋がっている。流入路１０ａは、吸入部１０ｃから上ケース１０の中心に向かって伸びるように形成されている。流出路１０ｂの一端は、吐出部１０ｄに繋がっている。流出路１０ｂは、流入路１０ａを囲むように形成されている。
【００３４】
ホルダ９は、樹脂で形成されている。また、ホルダ９は、上面が開口する扁平な箱状に形成されている。このホルダ９は、ハウジング７の上側に配置されている。また、ホルダ９は、上ケース１０の下側に配置されている。すなわち、ホルダ９は、上下方向においてハウジング７と上ケース１０との間に配置されている。ハウジング７とホルダ９と上ケース１０とは、図示を省略するネジによって互いに固定されている。また、ホルダ９と上ケース１０とは、ネジ２４（図１参照）によって互いに固定されている。
【００３５】
ホルダ９の底面には、ロータ４の上端側部分が配置される円形の貫通穴が上下方向に貫通するように形成されている。ホルダ９の内部には、羽根車２が配置されている。また、ホルダ９には、仕切り部材１１に形成される後述の連通穴１１ｅに向かって流体が通過する流路が形成されている。
【００３６】
仕切り部材１１は、樹脂で形成されている。この仕切り部材１１は、流入路１０ａおよび流出路１０ｂとポンプ室８との間を隔てる仕切り部１１ａと、ポンプ室８の内部に配置されるとともに固定軸１７の上端側を支持する軸支持部１１ｂと、仕切り部１１ａと軸支持部１１ｂとを繋ぐ連結部１１ｃとを備えている。仕切り部１１ａは、平板状に形成されており、仕切り部１１ａの厚さ方向と上下方向とが一致するように配置されている。仕切り部１１ａは、ホルダ９の上面の開口を塞いでいる。本形態では、仕切り部１１ａと隔壁１２ａとホルダ９とよってポンプ室８が画定されている。
【００３７】
仕切り部１１ａには、流入路１０ａとポンプ室８とを連通させる連通穴１１ｄと、流出路１０ｂとポンプ室８とを連通させる連通穴１１ｅとが形成されている。連通穴１１ｄ、１１ｅは、上下方向で仕切り部１１ａを貫通するように形成されている。連通穴１１ｄは、丸穴状に形成され、連通穴１１ｅは、四角穴状に形成されている。また、連通穴１１ｄは、仕切り部１１ａの中心部に形成され、連通穴１１ｅは、仕切り部１１ａの端部側に形成されている。
【００３８】
仕切り部１１ａの上側には、ゴム等の弾性部材によって形成されるシール部材２５が配置されている。シール部材２５は、平板状に形成されており、シール部材２５の厚さ方向と上下方向とが一致するように配置されている。シール部材２５は、仕切り部１１ａの上面の全体を覆っている。また、シール部材２５は、上ケース１０の底面の開口を塞いでいる。
【００３９】
シール部材２５には、流入路１０ａとポンプ室８とを連通させる連通穴２５ａと、流出路１０ｂとポンプ室８とを連通させる連通穴２５ｂとが形成されている。連通穴２５ａ、２５ｂは、上下方向でシール部材２５を貫通するように形成されている。連通穴２５ａは、丸穴状に形成されており、上下方向において連通穴１１ｄと重なっている。連通穴２５ｂは、四角穴状に形成されており、上下方向において連通穴１１ｅと重なっている。
【００４０】
軸支持部１１ｂの下面には、固定軸１７の上端側部分が挿入される凹部１１ｆが形成されており、軸支持部１１ｂの下端側部分は、円筒状に形成されている。軸支持部１１ｂの上端側部分は、上側に向かうにしたがって外径が次第に小さくなる略円錐状に形成されている。上述のように、軸支持部１１ｂは、ポンプ室８の内部に配置されており、仕切り部１１ａよりも下側に配置されている。また、軸支持部１１ｂは、連通穴１１ｄ、２５ａの真下に配置されており、連通穴１１ｄ、２５ａと同軸上に配置されている。軸支持部１１ｂの外径は、連通穴１１ｄ、２５ａの内径よりも小さくなっている。
【００４１】
連結部１１ｃは、連通穴１１ｄの周縁から下側へ突出するとともに固定軸１７の周方向（円周方向）において所定の間隔をあけた状態で配置される複数の突起部１１ｇ、１１ｈによって構成されている。突起部１１ｇ、１１ｈの下端は、連通穴１１ｄの周縁に繋がる突起部１１ｇ、１１ｈの上端よりも、固定軸１７の径方向において内側に配置されており、突起部１１ｇ、１１ｈは、上下方向に対して傾いている。
【００４２】
すなわち、固定軸１７の径方向における突起部１１ｇ、１１ｈの内側面は、軸支持部１１ｂに向かうにしたがって（すなわち、下側に向かうにしたがって）固定軸１７の径方向の内側へ向かうように傾斜するテーパ面となっている。また、固定軸１７の径方向における突起部１１ｇ、１１ｈの外側面も、軸支持部１１ｂに向かうにしたがって固定軸１７の径方向の内側へ向かうように傾斜するテーパ面となっている。
【００４３】
突起部１１ｇ、１１ｈの上下方向に直交する断面の形状は、略等脚台形状となっており、固定軸１７の周方向における突起部１１ｇ、１１ｈの幅は、固定軸１７の径方向の外側に向かうしたがって次第に広くなっている。また、固定軸１７の周方向における突起部１１ｇ、１１ｈの幅は、突起部１１ｇ、１１ｈの上端から下端に向かうにしたがって次第に狭くなっている。
【００４４】
本形態の連結部１１ｃは、軸支持部１１ｂに繋がる複数の突起部１１ｇと、軸支持部１１ｂに繋がっていない複数の突起部１１ｈによって構成されている。突起部１１ｇの下端側部分は、円筒状に形成される軸支持部１１ｂの下端側部分の外周面に繋がっている。軸支持部１１ｂと突起部１１ｈとの間には隙間が形成されている。突起部１１ｈの長さは、突起部１１ｇの長さの２／３程度の長さとなっている。略円錐状に形成される軸支持部１１ｂの上端側部分は、固定軸１７の径方向において、複数の突起部１１ｇ、１１ｈの内側に配置されている。本形態の突起部１１ｇは、第１突起部であり、突起部１１ｈは、第２突起部である。
【００４５】
本形態では、２個の突起部１１ｇと２個の突起部１１ｈとが固定軸１７の周方向において交互に配置されている。また、固定軸１７の周方向において、複数の突起部１１ｇ、１１ｈは、等間隔で配置されている。固定軸１７の周方向における突起部１１ｇの上端の幅と、固定軸１７の周方向における突起部１１ｈの上端の幅とは等しくなっている。また、図５に示すように、固定軸１７の周方向における複数の突起部１１ｇ、１１ｈの間隔は、固定軸１７の周方向における突起部１１ｇ、１１ｈの幅よりも狭くなっている。
【００４６】
（本形態の主な効果）
以上説明したように、本形態では、連通穴１１ｄが形成される仕切り部１１ａと固定軸１７の上端側を支持する軸支持部１１ｂとを繋ぐ連結部１１ｃが、連通穴１１ｄの周縁から下側へ突出する複数の突起部１１ｇ、１１ｈによって構成されている。また、本形態では、固定軸１７の周方向における複数の突起部１１ｇ、１１ｈの間隔は、固定軸１７の周方向における突起部１１ｇ、１１ｈの幅よりも狭くなっている。そのため、本形態では、複数の突起部１１ｇ、１１ｈによって構成される連結部１１ｃを利用して、流入路１０ａからポンプ室８への異物の流入量を低減することが可能になる。すなわち、本形態では、仕切り部１１ａと軸支持部１１ｂとを繋ぐ連結部１１ｃを用いた簡易な構成で、ポンプ室８への異物の流入量を低減することが可能になる。
【００４７】
本形態では、複数の突起部１１ｇ、１１ｈは、連通穴１１ｄの周縁から下側へ突出している。そのため、本形態では、複数の突起部１１ｇ、１１ｈからなる連結部１１ｃを利用してポンプ室８への異物の流入量を低減することが可能であっても、ポンプ室８への流体の流れが阻害されにくくなる。したがって、本形態では、ポンプ室８への異物の流入量を低減することが可能であっても、ポンプ装置１の機能の低下を抑制することが可能になる。
【００４８】
特に本形態では、突起部１１ｇは軸支持部１１ｂに繋がっているが、突起部１１ｈは軸支持部１１ｂに繋がっておらず、軸支持部１１ｂと突起部１１ｈとの間に隙間が形成されているため、突起部１１ｈが軸支持部１１ｂに繋がっている場合と比較して、ポンプ室８への流体の流れがより阻害されにくくなる。また、本形態では、固定軸１７の径方向における突起部１１ｇ、１１ｈの内側面が、下側に向かうにしたがって固定軸１７の径方向の内側へ向かうように傾斜するテーパ面となっているため、ポンプ室８への流体の流れがより阻害されにくくなる。したがって、本形態では、ポンプ装置１の機能の低下を効果的に抑制することが可能になる。
【００４９】
（連結部の変形例１）
図７は、本発明の他の実施の形態にかかる連結部１１ｃの構成を説明するための斜視図である。
【００５０】
上述した形態では、連結部１１ｃにおいて、２個の突起部１１ｇと２個の突起部１１ｈとが固定軸１７の周方向において交互に配置されているが、連結部１１ｃにおいて、３個以上の突起部１１ｇと３個以上の突起部１１ｈとが固定軸１７の周方向において交互に配置されていても良い。また、図７に示すように、連結部１１ｃにおいて、１個の突起部１１ｇと１個の突起部１１ｈとが固定軸１７の周方向において交互に配置されていても良い。
【００５１】
この場合には、２個の突起部１１ｇと２個の突起部１１ｈとが周方向において交互に配置されている場合と比較して、細かい異物のポンプ室８への流入量を低減することが可能になる。ただし、２個の突起部１１ｇと２個の突起部１１ｈとが周方向において交互に配置されている場合には、１個の突起部１１ｇと１個の突起部１１ｈとが周方向において交互に配置されている場合と比較して、ポンプ室８への流体の流れは阻害されにくくなる。また、連結部１１ｃにおいて、突起部１１ｇと突起部１１ｈとが固定軸１７の周方向においてランダムに配置されていても良い。
【００５２】
（連結部の変形例２）
図８は、本発明の他の実施の形態にかかる連結部１１ｃの構成を説明するための斜視図である。図９は、図８に示す軸支持部１１ｂおよび連結部１１ｃの平面図である。図１０は、図９のＦ−Ｆ断面の断面図である。
【００５３】
上述した形態では、連結部１１ｃは、複数の突起部１１ｇ、１１ｈによって構成されているが、図８〜図１０に示すように、連結部１１ｃは、連通穴１１ｄの周縁と軸支持部１１ｂとを繋ぐ円錐台の筒状に形成されていても良い。この場合には、連結部１１ｃの内周面は、軸支持部１１ｂに向かうにしたがって（すなわち、下側に向かうにしたがって）内径が小さくなるテーパ面となっており、連結部１１ｃの外周面も、下側に向かうにしたがって外径が小さくなるテーパ面となっている。また、この場合には、連結部１１ｃに、上下方向に貫通する複数の貫通穴１１ｊ、１１ｋが形成されている。
【００５４】
複数の貫通穴１１ｊ、１１ｋは、上下方向から見たときに円弧状に形成されている。また、上下方向から見たときに、貫通穴１１ｊは、固定軸１７の軸心を中心とする第１の仮想円ＶＣ１（図９参照）上に一定の間隔をあけた状態で配列され、貫通穴１１ｋは、第１の仮想円ＶＣ１の同心円であるとともに第１の仮想円ＶＣ１よりも径の小さい第２の仮想円ＶＣ２（図９参照）上に一定の間隔をあけた状態で配列されている。また、複数の貫通穴１１ｊ、１１ｋは、上下方向から見たときに固定軸１７の軸心を曲率中心とする円弧状に形成されている。この変形例の貫通穴１１ｊは、第１貫通穴であり、貫通穴１１ｋは、第２貫通穴である。
【００５５】
固定軸１７の周方向において、複数の貫通穴１１ｊの間には、リブ１１ｐが形成され、複数の貫通穴１１ｋの間には、リブ１１ｒが形成されている。固定軸１７の周方向におけるリブ１１ｐの幅とリブ１１ｒの幅とは等しくなっている。リブ１１ｐとリブ１１ｒとは、固定軸１７の周方向において同じ位置に配置されている。また、固定軸１７の周方向における貫通穴１１ｊの幅は、固定軸１７の周方向におけるリブ１１ｐ、１１ｒの幅の４倍程度となっており、固定軸１７の周方向における貫通穴１１ｋの幅は、固定軸１７の周方向におけるリブ１１ｐ、１１ｒの幅の３倍程度となっている。また、固定軸１７の径方向において、複数の貫通穴１１ｊと複数の貫通穴１１ｋとの間には、円環状の壁部１１ｓが形成されている。
【００５６】
この変形例では、円錐台の筒状に形成される連結部１１ｃに、上下方向に貫通する複数の貫通穴１１ｊ、１１ｋが形成されているため、上述した形態と同様に、連結部１１ｃを利用して、流入路１０ａからポンプ室８への異物の流入量を低減することが可能になる。すなわち、仕切り部１１ａと軸支持部１１ｂとを繋ぐ連結部１１ｃを用いた簡易な構成で、ポンプ室８への異物の流入量を低減することが可能になる。
【００５７】
また、この変形例では、連結部１１ｃの内周面が軸支持部１１ｂに向かうにしたがって内径が小さくなるテーパ面となっているとともに、連結部１１ｃに上下方向に貫通する複数の貫通穴１１ｊ、１１ｋが形成されているため、上述した形態と同様に、連結部１１ｃを利用してポンプ室８への異物の流入量を低減することが可能であっても、ポンプ室８への流体の流れが阻害されにくくなる。したがって、ポンプ室８への異物の流入量を低減することが可能であっても、ポンプ装置１の機能の低下を抑制することが可能になる。
【００５８】
特にこの変形例では、上下方向から見たときに、複数の貫通穴１１ｊ、１１ｋが円弧状に形成されており、上下方向から見たときの貫通穴１１ｊ、１１ｋの面積を大きくすることが可能になるため、ポンプ室８への流体の流れがより阻害されにくくなる。また、この変形例では、上下方向から見たときに、連結部１１ｃに、第１の仮想円ＶＣ１上に配列される貫通穴１１ｊと、第２の仮想円ＶＣ２上に配列される貫通穴１１ｋとが形成されているため、ポンプ室８への流体の流れがより一層阻害されにくくなる。したがって、ポンプ装置１の機能の低下を効果的に抑制することが可能になる。なお、上下方向から見たときの貫通穴１１ｊ、１１ｋの形状は、円形状や多角形状となっていても良い。
【００５９】
（他の実施の形態）
上述した形態は、本発明の好適な形態の一例ではあるが、これに限定されるものではなく本発明の要旨を変更しない範囲において種々変形実施が可能である。
【００６０】
上述した形態では、突起部１１ｇ、１１ｈは、上下方向に対して傾いているが、突起部１１ｇ、１１ｈは、上下方向と平行になっていても良い。すなわち、固定軸１７の径方向における突起部１１ｇ、１１ｈの内側面および外側面は、上下方向と平行になっていても良い。また、上述した形態において、固定軸１７の周方向で隣り合う２個の突起部１１ｈの下端が互いに連結されていても良い。また、上述した形態では、連結部１１ｃは、軸支持部１１ｂに繋がる複数の突起部１１ｇと、軸支持部１１ｂに繋がっていない複数の突起部１１ｈとによって構成されているが、連結部１１ｃは、軸支持部１１ｂに繋がる複数の突起部のみによって構成されていても良い。
【００６１】
上述した形態では、ロータ４は、固定軸１７に回転可能に支持されているが、ロータ４は、ロータ４と一緒に回転する回転軸に固定されていても良い。この場合には、この回転軸の上端側は、軸支持部１１ｂに回転可能に支持され、回転軸の下端側は、軸支持部１２ｆに回転可能に支持される。この場合の回転軸は、ロータ４の回転中心軸である。
【符号の説明】
【００６２】
１  ポンプ装置
２  羽根車
４  ロータ
５  ステータ
８  ポンプ室
１０ａ  流入路
１１  仕切り部材
１１ａ  仕切り部
１１ｂ  軸支持部
１１ｃ  連結部
１１ｄ  連通穴
１１ｇ  突起部（第１突起部）
１１ｈ  突起部（第２突起部）
１１ｊ  貫通穴（第１貫通穴）
１１ｋ  貫通穴（第２貫通穴）
１７  固定軸（回転中心軸）
ＶＣ１  第１の仮想円
ＶＣ２  第２の仮想円
【図１】
2018040316.tif 000003
【図２】
2018040316.tif 000004
【図３】
2018040316.tif 000005
【図４】
2018040316.tif 000006
【図５】
2018040316.tif 000007
【図６】
2018040316.tif 000008
【図７】
2018040316.tif 000009
【図８】
2018040316.tif 000010
【図９】
2018040316.tif 000011
【図１０】
2018040316.tif 000012